(57)【特許請求の範囲】
【請求項１】
板状若しくは箱状のユニット本体と、
このユニット本体の前面に沿ってティッシュペーパーや化粧用コットン等の化粧補助品を取出すことができるように、取出し口を右又は左に向けるように起立させた化粧補助品収納箱を、前記ユニット本体の前方から載せるためにユニット本体に設けた下棚と、
前記化粧補助品収納箱の上面を覆う位置にて前記ユニット本体に設けた上棚と、
前記化粧補助品の取出しの際に前記化粧補助品収納箱が前記取出し口側へ移動することを防止するために前記ユニット本体に一体に形成した前進ストッパと、を備え、
前記ユニット本体は、鏡板を設ける鏡配置部と、前記下棚並びに上棚を設ける棚配置部とからなる、一体成形品であり、
前記棚配置部に対して前記鏡配置部が前方に突出することで、棚配置部と鏡配置部との間に、前後方向の段差を形成し、
この段差は、前記棚配置部に対して直角又はほぼ直角な段差面を有し、
この段差面は、前記棚配置部よりも前方に突き出ることで前記前進ストッパをなし、
この前進ストッパの奥行きは、前記化粧補助品収納箱の取出し口を塞ぐことが無い大きさである、棚付きユニット。
【請求項２】
前記前進ストッパを補助する第２の前進ストッパを、前記下棚及び上棚の少なくとも１つに一体的に形成したことを特徴とする請求項１記載の棚付きユニット。
【請求項３】
前記下棚及び上棚の少なくとも一方は、前記化粧補助品収納箱の大きさに応じて、前記ユニット本体に対する取付け高さが変更可能な取付構成であることを特徴とした請求項１又は請求項２記載の棚付きユニット。
【請求項４】
前記ユニット本体、下棚及び上棚の少なくとも１つには、前記下棚に右又は左に向けて載せられた前記化粧補助品収納箱が前記取出し口とは反対側へ移動することを防止する後進ストッパを備えたことを特徴とする請求項１、請求項２又は請求項３記載の棚付きユニット。
【請求項５】
前記後進ストッパは、前記ユニット本体、下棚及び上棚の少なくとも１つに一体に形成されていることを特徴とする請求項４記載の棚付きユニット。
【請求項６】
前記後進ストッパは、前記化粧補助品収納箱の大きさに応じて、前記ユニット本体、下棚及び上棚の少なくとも１つに対する取付け位置が変更可能な取付構成であることを特徴とした請求項４記載の棚付きユニット。
【請求項７】
前記後進ストッパは、前記下棚に右又は左に向けて載せられた前記化粧補助品収納箱の底を貫通して前記化粧補助品を前記取出し口側に向かって押出し可能な押出し凸部を備えたことを特徴とする請求項４、請求項５又は請求項６記載の棚付きユニット。
【請求項８】
前記下棚と前記上棚とは互いに同一の構成からなる棚であり、この棚を少なくとも上下３段に配列し、これら各棚は、右又は左に向けた前記化粧補助品収納箱を載せるように前記ユニット本体に設けたことを特徴とする請求項１から請求項７のいずれか１項に記載の棚付きユニット。
【発明の詳細な説明】
【０００１】
【発明の属する技術分野】
本発明は、ティッシュペーパーや化粧用コットン等の化粧補助品を収納するための化粧補助品収納箱を収めることができる棚付きユニットに関する。
【０００２】
【従来の技術】
近年、洗面室やキッチン室等の各種室内に設置される棚付きユニットには、市販のティッシュペーパー箱等の化粧補助品収納箱を収納できるスペースを設けたものが多くなってきた。例えば、特に取出し口が横向きとなるようにティッシュペーパー箱を起立させて収納することで、ティッシュペーパー箱からティッシュペーパーを取り出し易いようにした技術が知られている（例えば、特許文献１及び特許文献２参照。）。
【０００３】
【特許文献１】
実用新案登録第２５４０８６５号公報（第２−３頁、第１−２図）
【特許文献２】
特開平５−１２３２２５号公報（第２−３頁、図１−３）
【０００４】
特許文献１によれば、従来の棚付きユニット（１）は、前面が扉で塞がれるキャビネット内に上下２段の棚を設け、これら上下の棚の間に、ペーパー取出し口が前向きとなるようにティッシュペーパー箱を起立させて収納したというものである。キャビネットの前面からティッシュペーパー箱を起立させた状態で収納するとともに、キャビネットの前面からティッシュペーパーを取り出すことができる。
【０００５】
特許文献２によれば、従来の棚付きユニット（２）は、洗面ユニットに上下２段の棚を設けることで、これら下棚と上棚との間の収納スペースに、ペーパー取出し口が前向きとなるようにティッシュペーパー箱を起立させて収納したというものである。
さらに従来の棚付きユニット（２）は、ティッシュペーパー箱が棚から前方へ抜け落ちることを防止するために、上下の棚の縁にストッパを設けたというものである。
スプリングにて弾発された上側のストッパを手前に起こしつつ、ティッシュペーパー箱を起立させた状態で収納スペースに入れることで、収納することができる。また、洗面ユニットの前方からティッシュペーパーを取り出すことができる。
【０００６】
【発明が解決しようとする課題】
しかしながら、特許文献１に示される従来の棚付きユニット（１）では、ティッシュペーパーを取り出すとき、棚からティッシュペーパー箱が抜け落ちないように、もう一方の手で箱を押さえる必要がある。両手を使うことになるので、使い勝手が劣る。
【０００７】
一方、特許文献２に示される従来の棚付きユニット（２）は、上下の棚の縁にストッパを設けたので、ティッシュペーパー箱が棚から抜け落ちることはない。
しかし、ティッシュペーパー箱を収納スペースに収納するには、スプリングにて弾発された上のストッパを手前に起こしつつ、ティッシュペーパー箱を収納棚に入れる必要があり、収納作業が面倒なものである。しかも、上のストッパはスプリングにて弾発された構成であり、複雑な構成にならざるを得ず、部品数も多くなり、コストアップの要因となる。
【０００８】
そこで本発明の目的は、簡単な構成によって、棚付きユニットに化粧補助品収納箱を簡単に収納することができるとともに、化粧補助品を簡単に取出すことができる技術を提供することにある。
【０００９】
【課題を解決するための手段】
上記目的を達成するために請求項１は、板状若しくは箱状のユニット本体と、このユニット本体の前面に沿ってティッシュペーパーや化粧用コットン等の化粧補助品を取出すことができるように、取出し口を右又は左に向けるように起立させた化粧補助品収納箱を、ユニット本体の前方から載せるためにユニット本体に設けた下棚と、化粧補助品収納箱の上面を覆う位置にてユニット本体に設けた上棚と、化粧補助品の取出しの際に化粧補助品収納箱が取出し口側へ移動することを防止するためにユニット本体に一体に形成した前進ストッパと、を備え、
ユニット本体は、鏡板を設ける鏡配置部と、下棚並びに上棚を設ける棚配置部とからなる、一体成形品であり、
棚配置部に対して鏡配置部が前方に突出することで、棚配置部と鏡配置部との間に、前後方向の段差を形成し、
この段差は、棚配置部に対して直角又はほぼ直角な段差面を有し、
この段差面は、棚配置部よりも前方に突き出ることで前記前進ストッパをなし、
この前進ストッパの奥行きは、化粧補助品収納箱の取出し口を塞ぐことが無い大きさである、棚付きユニットである。
【００１０】
請求項１によれば、取出し口を右又は左に向けるように起立させた化粧補助品収納箱をユニット本体の前方から載せるための下棚と、化粧補助品収納箱の上面を覆う位置にてユニット本体に設けた上棚と、をユニット本体に設けたので、取出し口を右又は左に向けるように起立させた化粧補助品収納箱を、ユニット本体の前方から下棚に載せるだけで、棚付きユニットに化粧補助品収納箱を簡単に収納することができる。
【００１１】
さらに請求項１によれば、化粧補助品の取出しの際に化粧補助品収納箱が取出し口側へ移動することを防止するための前進ストッパをユニット本体に設けたので、化粧補助品の取出しの際に、化粧補助品収納箱が下棚から抜け落ちることはない。従って、ユニット本体の前面に沿って化粧補助品を簡単に取出すことができる。しかも、前進ストッパをユニット本体に一体に形成したので、前進ストッパを部品数が少なく簡単な構成にすることができる。
このように、簡単な構成によって、棚付きユニットに化粧補助品収納箱を簡単に収納することができるとともに、化粧補助品を簡単に取出すことができる。
【００１２】
請求項２は、前進ストッパを補助する第２の前進ストッパを、下棚及び上棚の少なくとも１つに一体的に形成したことを特徴とする。
化粧補助品の取出しの際に化粧補助品収納箱が取出し口側へ移動することを、前進ストッパ及び第２の前進ストッパの両方によって防止することができる。このため、下棚から化粧補助品収納箱が脱落することを、より確実に防止することができる。従って、ユニット本体の前面に沿って化粧補助品を、より簡単に取出すことができる。しかも、第２の前進ストッパを、下棚及び上棚の少なくとも１つに一体に形成したので、第２の前進ストッパを部品数が少なく簡単な構成にすることができる。
【００１３】
請求項３は、下棚及び上棚の少なくとも一方が、化粧補助品収納箱の大きさに応じて、ユニット本体に対する取付け高さが変更可能な取付構成であることを特徴とする。
化粧補助品収納箱の大きさに合わせて、下棚や上棚の高さを自由に且つ容易に変えることができる。
【００１４】
請求項４は、ユニット本体、下棚及び上棚の少なくとも１つには、下棚に右又は左に向けて載せられた化粧補助品収納箱が取出し口とは反対側へ移動することを防止する後進ストッパを備えたことを特徴とする。
化粧補助品を取出すときの反動や化粧補助品収納箱を押すことによって、下棚に載せられた化粧補助品収納箱が取出し口とは反対側へ倒れたり移動することを防止することができる。このため、下棚に化粧補助品収納箱を、より安定した状態で載せておくことができる。従って、化粧補助品収納箱から化粧補助品を、より簡単に且つより確実に取出すことができるので、使い勝手が良い。
【００１５】
請求項５は、後進ストッパが、ユニット本体、下棚及び上棚の少なくとも１つに一体に形成されていることを特徴とする。
後進ストッパを部品数が少なく簡単な構成にすることができる。
【００１６】
請求項６は、後進ストッパが、化粧補助品収納箱の大きさに応じて、ユニット本体、下棚及び上棚の少なくとも１つに対する取付け位置が変更可能な取付構成であることを特徴とする。
化粧補助品収納箱の大きさに合わせて、後進ストッパ取付け位置を自由に且つ容易に変えることができる。
【００１７】
請求項７は、後進ストッパが、下棚に右又は左に向けて載せられた化粧補助品収納箱の底を貫通して化粧補助品を取出し口側に向かって押出し可能な押出し凸部を備えたことを特徴とする。
化粧補助品収納箱に収納された化粧補助品の残量が少なくなったときに、押出し凸部によって化粧補助品を取出し口側へ押出すことができる。この結果、化粧補助品収納箱に収納された化粧補助品を、取出し口から常に取出し易い状態に保持することができる。従って、化粧補助品を常に簡単に取出すことができる。
【００１８】
請求項８は、下棚と上棚とを互いに同一の構成からなる棚とし、この棚を少なくとも上下３段に配列し、これら各棚が、右又は左に向けた化粧補助品収納箱を載せるようにユニット本体に設けたことを特徴とする。
右又は左に向けた複数個の化粧補助品収納箱を各棚に載せることができ、より使い勝手が高まる。例えば、各棚毎に種類の異なる化粧補助品収納箱を載せることができる。
【００１９】
【発明の実施の形態】
本発明の実施の形態を添付図面に基づいて以下に説明する。なお、図面は符号の向きに見るものとする。
図１は本発明に係る棚付きユニットの正面図であり、棚付きユニット１０に化粧補助品収納箱６０を収納したことを示す。
【００２０】
棚付きユニット１０は、フロアに置く型式又は他の部材の上に置く型式や、壁等の他の部材に一体に形成する一体型又は他の部材に取付ける分離型（例えば壁掛け型）のユニットであり、例えば、洗面化粧ユニット、キッチン、複合サニタリーユニット、収納間仕切り、浴室ユニット、便所ユニット、洗面所ユニット、家具、机、下駄箱等の各種場所で使用されるものである。
【００２１】
このような棚付きユニット１０は、図に示すような垂直な板状若しくは箱状のユニット本体２０と、ユニット本体２０の前面（この図の手前側の面）に左右２列に設けた複数個の棚３０・・・と、ユニット本体２０の前面中央に設けた鏡板５１と、ユニット本体２０の前面の上部左右に設けた照明灯５２，５２と、を主要部材として備える。なお、・・・は複数を示す。
【００２２】
ユニット本体２０は、起立した平板状の部材であって、鏡板５１を設ける中央の鏡配置部２１と、複数の棚３０・・・を設ける左右の棚配置部２２，２２とからなる、樹脂製一体成形品である。
複数個の棚３０・・・は、例えば左に等間隔で上下３段に並列するとともに、右にも等間隔で上下３段に配列した、計６個の部材である。これらの棚３０・・・は、全て互いに同一の構成で且つ同一寸法からなる棚である。ユニット本体２０に棚３０・・・を一体に形成又は別部材を固定することによって、設けることができる。
【００２３】
ここで、複数個の棚３０・・・のうち、左下段の棚３０のことを「下棚３１」と言い、この下棚３１の上にある左中段の棚３０のことを「上棚３２」と言うことにする。
また、「補助品収納箱６０」とは、ティッシュペーパー、化粧用コットン、化粧パフ等の化粧補助品６１を取出し可能に収納した箱のことを言う。以下、補助品収納箱６０の例として、ティッシュペーパー６１を収納した市販の細長い紙製ティッシュペーパー箱６０を挙げて、説明する。
【００２４】
図２は本発明に係る棚付きユニットの下・上棚周りの要部斜視図であり、棚配置部２２に対して鏡配置部２１が前方に突出することで、棚配置部２２と鏡配置部２１との間に、前後方向の段差２３が形成されていることを示す。
このような段差２３は、当然のことながら、棚配置部２２に対して直角又はほぼ直角な面、すなわち段差面２４を有することになる。段差面２４は、棚配置部２２よりも前方に突き出ている。
【００２５】
下・上棚３１，３２は、平坦な底板３３と、底板３３の縁から上方へ延びた周縁部３４とからなる。この周縁部３４のうち、鏡配置部２１寄りの内側縁部３５は、段差面２４に合致している。
以下、段差面２４のことを「前進ストッパ２４」と言い、内側縁部３５のことを「第２の前進ストッパ３５」と言うことにする。
【００２６】
ところで、棚配置部２２は、下棚３１と上棚３２との間に配置された後進ストッパ４０を一体に形成したものである。後進ストッパ４０は、棚配置部２２から前方へ延びた縦板状部材であり、先端を略フック状に形成することで、そのフック部４１に小物を掛けることができる。２５は棚配置部２２の側縁である。
【００２７】
図３は図１の３−３線断面図であり、前進ストッパ２４（第１の前進ストッパ２４）と第２の前進ストッパ３５との間の収納スペースにおいて、下棚３１にティッシュペーパー箱６０を載せたことを示す。
【００２８】
ティッシュペーパー箱６０の厚み、すなわち、取出し側の面６２から底６３までの厚みはＡ１である。これに対して、前進ストッパ２４と後進ストッパ４０との間の間隔Ｂ１は厚みＡ１よりも若干大きい。また、ティッシュペーパー箱６０の幅はＡ２である。これに対して下棚３１のうちティッシュペーパー箱６０の載せる部分の奥行きＢ２は幅Ａ２よりも若干大きい。下棚３１に周縁部３４を設けるとともに、奥行きＢ２を、幅Ａ２よりも若干大きい程度に設定したので、下棚３１から前方にティッシュペーパー箱６０が抜け落ちることはない。
【００２９】
図４は図１の４−４線断面図であり、ユニット本体２０の前面に沿って化粧補助品としてのティッシュペーパー６１を取出すことができるように、取出し口６４を右又は左（この図の表裏方向）に向けるように起立させたティッシュペーパー箱６０をユニット本体２０の前方から下棚３１に載せるとともに、ティッシュペーパー箱６０の上面６５を覆う位置に上棚３２を設けたことを示す。
【００３０】
ティッシュペーパー箱６０は、縦長に起立したものである。このため、ティッシュペーパー箱６０からティッシュペーパー６１を取り出すための取出し口６４も、縦長となる。ティッシュペーパー箱６０の上面６５と上棚３２との間には、若干の隙間Ｓ１を有する。従って、ティッシュペーパー箱６０が跳ね上がることはない。
【００３１】
前進ストッパ２４の奥行きＢ３は、ティッシュペーパー箱６０の取出し口６４を塞ぐことが無い大きさである。第２の前進ストッパ３５の高さＢ４も、ティッシュペーパー箱６０の取出し口６４を塞ぐことが無い大きさである。後進ストッパ４０の長さＢ５は、ティッシュペーパー箱６０の幅Ａ２の半分程度の大きさである。
【００３２】
前進ストッパ２４は、ティッシュペーパー６１の取出しの際にティッシュペーパー箱６０が取出し口６４側（この図の手前側）へ移動することを防止する部材である。
第２の前進ストッパ３５は、前進ストッパ２４を補助する部材であって、ティッシュペーパー６１の取出しの際にティッシュペーパー箱６０が取出し口６４側へ移動することを防止する部材である。
後進ストッパ４０は、下棚３１に右又は左に向けて載せられたティッシュペーパー箱６０が取出し口６４とは反対側（この図の向う側）へ移動することを防止する部材である。
【００３３】
図５（ａ）〜（ｄ）は本発明に係る棚付きユニットの作用図である。
（ａ）は、棚付きユニット１０にティッシュペーパー箱６０を収納する手順を示す。先ず、ティッシュペーパー箱６０を右又は左へ傾けて、棚付きユニット１０の前面側（図手前側）から下・上棚３１，３２間に差し込む。次に、ティッシュペーパー箱６０を縦向きに起こしつつ下棚３１の底板３３に載せる。これで、ティッシュペーパー箱６０を収納することができる。この収納状態を（ｂ）に示す。
【００３４】
（ｂ）において、ティッシュペーパー箱６０からティッシュペーパー６１を取出すとき、その取出し力によってティッシュペーパー箱６０は、（ｃ）のように取出し口６４側へ移動しようとする。この結果、取出し側の面６２が前進ストッパ２４や第２の前進ストッパ３５に当たる。このようにして、ティッシュペーパー箱６０が取出し口６４側へ移動することを防止することができる。
【００３５】
（ｃ）において、ティッシュペーパー６１を取出すときの反動やティッシュペーパー箱６０を押すことで、ティッシュペーパー箱６０は（ｄ）のように、取出し口６４とは反対側へ倒れたり移動しようとする。この結果、底６３が後進ストッパ４０に当たる。このようにして、ティッシュペーパー箱６０が取出し口６４とは反対側へ移動することを防止することができる。
【００３６】
なお、第２の前進ストッパ３５は、下棚３１及び上棚３２の少なくとも１つに一体に形成したものであればよい。また、後進ストッパ４０は、ユニット本体２０、下棚３１及び上棚３２の少なくとも１つに設けたものであればよい。例えば、次の図６に示す構成であってもよい。なお、上記図１〜図５に示す実施例と同様の構成については同一符号を付し、その説明を省略する。
【００３７】
図６（ａ），（ｂ）は本発明に係る棚付きユニット（第１変形例）の構成図であり、（ａ）は下・上棚３１，３２周りを正面から見た構成を示し、（ｂ）は（ａ）のｂ−ｂ線断面構成を示す。
【００３８】
第１変形例の棚付きユニット１０は、下・上棚３１，３２に、第２の前進ストッパ３５，３５並びに後進ストッパ４０を一体的に形成したことを特徴とする。具体的には、周縁部３４を底板３３の下方まで延ばすことで、下・上の各周縁部３４，３４のうち、鏡配置部２１寄りの下・上の各内側縁部３５，３５を第２の前進ストッパとしたものである。すなわち、第２の前進ストッパ３５，３５を下と上に設けることで、ティッシュペーパー箱６０が取出し口６４側へ移動することを、より一層防止することができる。さらには、各底板３３，３３の下から後進ストッパ４０，４０を下方へ延した。なお、各底板３３，３３の上から、後進ストッパ４０，４０を上方へ延してもよい。
【００３９】
以上の棚付きユニット１０の説明を、上記図１〜図６を参照しつつまとめる。
取出し口６４を右又は左に向けるように起立させた化粧補助品収納箱６０（ティッシュペーパー箱６０）をユニット本体２０の前方から載せるための下棚３１と、化粧補助品収納箱６０の上面６５を覆う位置にてユニット本体２０に設けた上棚３２と、をユニット本体２０に設けたので、取出し口６４を右又は左に向けるように起立させた化粧補助品収納箱６０を、ユニット本体２０の前方から下棚３１に載せるだけで、棚付きユニット１０に化粧補助品収納箱６０を簡単に収納することができる。
【００４０】
さらには、化粧補助品６１（ティッシュペーパー６１）の取出しの際に化粧補助品収納箱６０が取出し口６４側へ移動することを防止するための前進ストッパ２４をユニット本体２０に設けたので、化粧補助品６１の取出しの際に、化粧補助品収納箱６０が下棚３１から抜け落ちることはない。従って、ユニット本体２０の前面に沿って化粧補助品６１を簡単に取出すことができる。しかも、前進ストッパ２４をユニット本体２０に一体に形成したので、前進ストッパ２４を部品数が少なく簡単な構成にすることができる。
【００４１】
このように、簡単な構成によって、棚付きユニット１０に化粧補助品収納箱６０を簡単に収納することができるとともに、化粧補助品６１を簡単に取出すことができる。しかも、化粧補助品収納箱６０を収納するための、新たな専用の収納室を設ける必要もない。
【００４２】
さらにまた、前進ストッパ２４を補助する第２の前進ストッパ３５を設けたので、化粧補助品６１の取出しの際に化粧補助品収納箱６０が取出し口６４側へ移動することを、前進ストッパ２４及び第２の前進ストッパ３５の両方によって防止することができる。このため、下棚３１から化粧補助品収納箱６０が脱落することを、より確実に防止することができる。従って、ユニット本体２０の前面に沿って化粧補助品６１を、より簡単に取出すことができる。しかも、第２の前進ストッパ３５を、下棚３１及び上棚３２の少なくとも１つに一体に形成したので、第２の前進ストッパ３５を部品数が少なく簡単な構成にすることができる。
【００４３】
また、ユニット本体２０、下棚３１及び上棚３２の少なくとも１つには、下棚３１に右又は左に向けて載せられた化粧補助品収納箱６０が取出し口６４とは反対側へ移動することを防止する後進ストッパ４０を備えることにより、化粧補助品６１を取出すときの反動や化粧補助品収納箱６０を押すことによって、下棚３１に載せられた化粧補助品収納箱６０が取出し口６４とは反対側へ倒れたり移動することを防止することができる。このため、下棚３１に化粧補助品収納箱６０を、より安定した状態で載せておくことができる。従って、化粧補助品収納箱６０から化粧補助品６１を、より簡単に且つより確実に取出すことができるので、使い勝手が良い。
【００４４】
また、後進ストッパ４０をユニット本体２０、下棚３１及び上棚３２の少なくとも１つに一体に形成することにより、後進ストッパ４０を部品数が少なく簡単な構成にすることができる。
【００４５】
さらにまた、下棚３１のうち、化粧補助品収納箱６０を収納する部分のスペースは、収納しないときには、通常の収納スペースとして使用できる。いわゆる、化粧補助品収納箱６０を収納する専用スペースではない。このため、化粧補助品収納箱６０を収納する必要がないときには、下棚３１に他の小物等の収納物を載せることができる。
【００４６】
次に、上記構成の棚付きユニット１０の変形例について、図７〜図１２に基づき説明する。なお、上記図１〜図５に示す実施例と同様の構成については同一符号を付し、その説明を省略する。
【００４７】
図７（ａ），（ｂ）は本発明に係る棚付きユニット（第２変形例）の構成図であり、（ａ）は棚付きユニット１０の左半部を正面から見た構成を示し、（ｂ）は（ａ）のｂ−ｂ線断面構成を示す。
【００４８】
第２変形例の棚付きユニット１０は、下棚３１及び上棚３２の少なくとも一方を、ティッシュペーパー箱６０の大きさに応じて、ユニット本体２０に対する取付け高さが変更可能な取付構成であることを特徴とする。
【００４９】
具体的には、ユニット本体２０の棚配置部２２に上下複数個の係止孔７１・・・を設けるとともに、ユニット本体２０とは別部材からなる上棚３２の背面に掛止め爪７２を設け、係止孔７１・・・を適宜選択して掛止め爪７２を掛けることにより、ユニット本体２０に対する上棚３２の取付け高さを変更することができる。
このようにすることで、化粧補助品収納箱６０の大きさに合わせて、下棚３１や上棚３２の高さを自由に且つ容易に変えることができる。
【００５０】
図８は本発明に係る棚付きユニット（第３変形例）の構成図であり、棚付きユニット１０の左半部を正面から見た構成を示す。
第３変形例の棚付きユニット１０は、少なくとも上下３段に配列した各棚３０・・・に、右又は左に向けたティッシュペーパー箱６０・・・を載せるように、ユニット本体２０に棚３０・・・設けたことを特徴とする。上述のように、下・上棚３１，３２を含む全ての棚３０・・・は互いに同一の構成である。
このようにすることで、右又は左に向けた複数個の化粧補助品収納箱６０・・・を各棚３０・・・に載せることができ、より使い勝手が高まる。例えば、各棚３０・・・毎に種類の異なる化粧補助品収納箱６０・・・を載せることができる。
【００５１】
図９（ａ）〜（ｄ）は本発明に係る棚付きユニット（第４変形例）の構成図であり、ユニット本体２０とは別部材とした後進ストッパ４０の変形例を示す。
【００５２】
（ａ）は、棚配置部２２に左右一列に複数個の係止孔８１・・・を設けるとともに、後進ストッパ４０の背面に差込み爪８２を設け、係止孔８１・・・を適宜選択して差込み爪８２を掛けるようにしたものである。
（ｂ）は、棚配置部２２に左右一列に複数個の係止孔８３・・・を設けるとともに、後進ストッパ４０の背面の上下に垂直な引掛け爪８４，８４を設け、係止孔８３・・・を適宜選択して引掛け爪８４，８４を引っ掛けるようにしたものである。
【００５３】
（ｃ），（ｄ）は、棚配置部２２に左右一列に複数個の鍔８５付き係止凸部８６・・・を設けるとともに、後進ストッパ４０の背面に垂直な平板状の止め具８７を設け、止め具８７に掛け止め溝８８を設け、係止凸部８６・・・を適宜選択して鍔８５に掛け止め溝８７を嵌め込むようにしたものである。
【００５４】
図１０（ａ）〜（ｆ）は本発明に係る棚付きユニット（第５変形例）の構成図であり、ユニット本体２０とは別部材とした後進ストッパ４０の変形例を示す。
【００５５】
（ａ）は、棚配置部２２に左右に延びる水平な下溝９１並び上溝９２を設けるとともに、下溝９１に一定ピッチで連続した位置決め用凸部９１ａ・・・を設け、一方、後進ストッパ４０の背面に垂直な平板状の止め具９３を設け、止め具９３の下面に一定ピッチで連続した位置決め用凸部９３ａ・・・を設けたものである。下溝９１並び上溝９２に止め具９３を嵌め込んで左右にスライドさせ、適宜の位置で位置決め用凸部９１ａ・・・，９３ａ・・・同士を掛けることで、位置決めするようにしたものである。
【００５６】
（ｂ）は、上記（ａ）とは逆の構成であり、棚配置部２２に水平な長孔９４を形成し、止め具９３の下面並びに上面に溝９３ｂ，９３ｃを設けたものである。さらには、長孔９４の下の縁に位置決め用凸部９１ａ・・・を設けるとともに、下溝９３ｂに位置決め用凸部９３ａ・・・を設けた。
【００５７】
（ｃ），（ｄ）は、上記（ｂ）の更なる変形例であり、棚配置部２２に水平な鍔９６ａ付き凸条部９６を設け、鍔９６ａの上面又はその近傍に一定ピッチで連続した位置決め用凸部９６ｂ・・・を設け、一方、後進ストッパ４０の止め具９７に下溝９７ａ並び上溝９７ｂを設けるとともに、上溝９７ｂ又はその近傍に一定ピッチで連続した位置決め用凸部９７ｃ・・・を設けたものである。
【００５８】
（ｅ），（ｆ）は、上記（ｃ）の更なる変形例であり、（ｃ）の位置決め用凸部９６ｂ・・・，９７ｃ・・・の代わりに摩擦止め凸部９７ｄ又は９７ｅを設けたものである。凸条部９６と摩擦止め凸部９７ｄ又は９７ｅとの摩擦力によって、後進ストッパ４０の位置決めをすることができる。
これら（ａ）〜（ｆ）は、下溝並び上溝に止め具９３，９７を嵌め込んで左右にスライドさせるようにした、けんどん式（倹鈍式）と称する構成である。
【００５９】
図１１（ａ），（ｂ）は本発明に係る棚付きユニット（第６変形例）の構成図であり、ユニット本体２０とは別部材とした後進ストッパ４０の変形例を示す。
【００６０】
（ａ）は、棚配置部２２に水平なバー１０１を設け、バー１０１の上面に一定ピッチで連続した位置決め用凸部１０１ａ・・・を設け、一方、後進ストッパ４０の背面に下溝１０２ａを有する掛け部１０２を設け、下溝１０２ａに一定ピッチで連続した位置決め用凸部１０２ｂ・・・を設けたものである。バー１０１に掛け部１０２を上から引っ掛け、適宜の位置で位置決め用凸部１０１ａ・・・，１０２ｂ・・・同士を掛けることで、位置決めするようにしたものである。
（ｂ）は、後進ストッパ４０の背面に吸盤１０３を設けることで、棚配置部２２の適宜の位置に吸盤１０３を吸着させて止めるようにしたものである。
【００６１】
このような図９〜図１１のように、後進ストッパ４０をユニット本体２０、下棚３１及び上棚３２の少なくとも１つに対する取付け位置が変更可能な取付構成とすることで、化粧補助品収納箱６０（図１参照）の大きさに合わせて、後進ストッパ４０の取付け位置を自由に且つ容易に変えることができる。
【００６２】
図１２（ａ），（ｂ）は本発明に係る棚付きユニット（第７変形例）の構成図であり、上記図１０（ｃ）の更なる変形例を示す。図１２（ａ）は後進ストッパ４０の側部に押出し凸部１１１を一体に備えたことを示す。
図１２（ｂ）は、押出し凸部１１１が、下棚３１（図１参照）に右又は左に向けて載せられたティッシュペーパー箱６０の底６３を貫通してティッシュペーパー６１を取出し口６４側に向かって押出し可能な部材であることを示す。
【００６３】
このようにすることで、化粧補助品収納箱６０に収納された化粧補助品６１の残量が少なくなったときに、押出し凸部１１１によって化粧補助品６１を取出し口６４側へ押出すことができる。この結果、化粧補助品収納箱６０に収納された化粧補助品６１を、取出し口６４から常に取出し易い状態に保持することができる。従って、化粧補助品６１を常に簡単に取出すことができる。
【００６４】
なお、上記本発明の実施の形態において、ユニット本体２０は、小物等を収納するための箱状の部材であってもよい。例えば、鏡配置２１を箱状に形成することもできる。
【００６５】
また、前進ストッパ２４並びに第２の前進ストッパ３５は、化粧補助品６１の取出しの際に化粧補助品収納箱６０が取出し口６４側へ移動することを防止できる部材であればよく、例えば、後進ストッパ４０と同様に、ユニット本体２０から前方へ延すことによって構成することもできる。従って前進ストッパ２４は、段差面２４に限定されるものではない。第２の前進ストッパ３５も、内側縁部３５に限定されるものではない。
【００６６】
また、下棚３１は、取出し口６４を右又は左に向けるように、化粧補助品収納箱６０を起立させて載せることができる大きさであればよい。例えば、化粧補助品収納箱６０を上記図１に示すように縦長に起立させる外に、横長に起立させる大きさにすることもできる。
また、棚３０・・・の底板３３は平板に限定されるものではなく、例えば網であってもよい。
また、鏡板５１や照明灯５２，５２の有無については任意である。
【００６７】
【発明の効果】
本発明は上記構成により次の効果を発揮する。
請求項１は、取出し口を右又は左に向けるように起立させた化粧補助品収納箱をユニット本体の前方から載せるための下棚と、化粧補助品収納箱の上面を覆う位置にてユニット本体に設けた上棚と、をユニット本体に設けたので、取出し口を右又は左に向けるように起立させた化粧補助品収納箱を、ユニット本体の前方から下棚に載せるだけで、棚付きユニットに化粧補助品収納箱を簡単に収納することができる。
【００６８】
さらに請求項１は、化粧補助品の取出しの際に化粧補助品収納箱が取出し口側へ移動することを防止するための前進ストッパをユニット本体に設けたので、化粧補助品の取出しの際に、化粧補助品収納箱が下棚から抜け落ちることはない。従って、ユニット本体の前面に沿って化粧補助品を簡単に取出すことができる。しかも、前進ストッパをユニット本体に一体に形成したので、前進ストッパを部品数が少なく簡単な構成にすることができる。
このように、簡単な構成によって、棚付きユニットに化粧補助品収納箱を簡単に収納することができるとともに、化粧補助品を簡単に取出すことができる。
【００６９】
請求項２は、前進ストッパを補助する第２の前進ストッパを設けたので、化粧補助品の取出しの際に化粧補助品収納箱が取出し口側へ移動することを、前進ストッパ及び第２の前進ストッパの両方によって防止することができる。このため、下棚から化粧補助品収納箱が脱落することをより確実に防止することができる。従って、ユニット本体の前面に沿って化粧補助品を、より簡単に取出すことができる。しかも、第２の前進ストッパを、下棚及び上棚の少なくとも１つに一体に形成したので、第２の前進ストッパを部品数が少なく簡単な構成にすることができる。
【００７０】
請求項３は、下棚及び上棚の少なくとも一方を、ユニット本体に対する取付け高さが変更可能な取付構成としたので、化粧補助品収納箱の大きさに合わせて、下棚や上棚の高さを自由に且つ容易に変えることができる。
【００７１】
請求項４は、ユニット本体、下棚及び上棚の少なくとも１つには、下棚に右又は左に向けて載せられた化粧補助品収納箱が取出し口とは反対側へ移動することを防止する後進ストッパを備えたので、化粧補助品を取出すときの反動や化粧補助品収納箱を押すことによって、下棚に載せられた化粧補助品収納箱が取出し口とは反対側へ倒れたり移動することを防止することができる。このため、下棚に化粧補助品収納箱を、より安定した状態で載せておくことができる。従って、化粧補助品収納箱から化粧補助品を、より簡単に且つより確実に取出すことができるので、使い勝手が良い。
【００７２】
請求項５は、後進ストッパをユニット本体、下棚及び上棚の少なくとも１つに一体に形成したので、後進ストッパを部品数が少なく簡単な構成にすることができる。
【００７３】
請求項６は、後進ストッパをユニット本体、下棚及び上棚の少なくとも１つに対する取付け位置が変更可能な取付構成としたので、化粧補助品収納箱の大きさに合わせて、後進ストッパ取付け位置を自由に且つ容易に変えることができる。
【００７４】
請求項７は、後進ストッパに、下棚に右又は左に向けて載せられた化粧補助品収納箱の底を貫通して化粧補助品を取出し口側に向かって押出し可能な押出し凸部を備えたので、化粧補助品収納箱に収納された化粧補助品の残量が少なくなったときに、押出し凸部によって化粧補助品を取出し口側へ押出すことができる。この結果、化粧補助品収納箱に収納された化粧補助品を、取出し口から常に取出し易い状態に保持することができる。従って、化粧補助品を常に簡単に取出すことができる。
【００７５】
請求項８は、下棚と上棚とを互いに同一の構成からなる棚とし、この棚を少なくとも上下３段に配列し、これら各棚が、右又は左に向けた化粧補助品収納箱を載せるようにユニット本体に設けたので、右又は左に向けた複数個の化粧補助品収納箱を各棚に載せることができ、より使い勝手が高まる。例えば、各棚毎に種類の異なる化粧補助品収納箱を載せることができる。
【図面の簡単な説明】
【図１】  本発明に係る棚付きユニットの正面図
【図２】  本発明に係る棚付きユニットの下・上棚周りの要部斜視図
【図３】  図１の３−３線断面図
【図４】  図１の４−４線断面図
【図５】  本発明に係る棚付きユニットの作用図
【図６】  本発明に係る棚付きユニット（第１変形例）の構成図
【図７】  本発明に係る棚付きユニット（第２変形例）の構成図
【図８】  本発明に係る棚付きユニット（第３変形例）の構成図
【図９】  本発明に係る棚付きユニット（第４変形例）の構成図
【図１０】  本発明に係る棚付きユニット（第５変形例）の構成図
【図１１】  本発明に係る棚付きユニット（第６変形例）の構成図
【図１２】  本発明に係る棚付きユニット（第７変形例）の構成図
【符号の説明】
１０…棚付きユニット、２０…ユニット本体、２４…前進ストッパ（段差面）、３１…下棚、３２…上棚、３５…第２の前進ストッパ（内側縁部）、４０…後進ストッパ、６０…化粧補助品収納箱（ティッシュペーパー箱）、６１…化粧補助品（ティッシュペーパー）、６３…化粧補助品収納箱の底、６４…取出し口、６５…化粧補助品収納箱の上面、１１１…押出し凸部。
【図１】
0003730214.tif 000002
【図２】
0003730214.tif 000003
【図３】
0003730214.tif 000004
【図４】
0003730214.tif 000005
【図５】
0003730214.tif 000006
【図６】
0003730214.tif 000007
【図７】
0003730214.tif 000008
【図８】
0003730214.tif 000009
【図９】
0003730214.tif 000010
【図１０】
0003730214.tif 000011
【図１１】
0003730214.tif 000012
【図１２】
0003730214.tif 000013